(57)【要約】【課題】涼しくまたは楽に着用することができ、かつ、見た目も美しくファッション性に富んだ装身具を提供する。【解決手段】ワイシャツなどの襟付きシャツの上から胸元を飾るものであり、例えば、布により帯状に形成されている。装身具１０は、例えば、シャツの右襟から胸に向かって伸長される右帯部１１と、シャツの左襟から胸に向かって伸長される左帯部１２と、これらの間に連続して設けられた首周り部１３とを有している。首周り部１３は首に掛けて着用するためのものであり、右帯部１１と左帯部１２とは胸元において交差されている。【選択図】図１
0003146990.tif 000002
【実用新案登録請求の範囲】
【請求項１】
襟付きシャツの上から胸元を飾る装身具であって、
シャツの右襟から胸に向かって伸長される右帯部と、シャツの左襟から胸に向かって伸長される左帯部とを有し、
前記右帯部と前記左帯部とは胸元において１回交差され、前記右帯部の先端部は左胸側、前記左帯部の先端部は右胸側に位置している
ことを特徴とする装身具。
【請求項２】
前記右帯部と前記左帯部との交差部の中心位置と、シャツの襟腰縫い目との間の距離は、６ｃｍ以上１４ｃｍ以下の範囲内であり、
前記交差部の中心位置と、前記右帯部の先端または前記左帯部の先端との間の距離は、２．５ｃｍ以上７ｃｍ以下の範囲内であり、
前記右帯部の右襟から前記交差部までの間における帯幅および前記左帯部の左襟から前記交差部までの間における帯幅は、０．５ｃｍ以上３．５ｃｍ以下の範囲内である
ことを特徴とする請求項１記載の装身具。
【請求項３】
前記右帯部と前記左帯部との交差部には、それらを留める留め部材が設けられている
ことを特徴とする請求項１または請求項２記載の装身具。
【請求項４】
前記右帯部の右襟から前記左帯部との交差部までの間および前記左帯部の左襟から前記右帯部との交差部までの間は、シャツの前身頃の中心に向かって中心側が凹となるように湾曲している
ことを特徴とする請求項１から請求項３のいずれか１に記載の装身具。
【考案の詳細な説明】
【技術分野】
【０００１】
本考案は、ワイシャツなどの襟付きシャツの上から胸元を飾る装身具に関する。
【背景技術】
【０００２】
地球温暖化の防止を目的として、冷房の設定温度を高くすることが進められており、その一環として、６月から９月にかけては官庁を筆頭に金融機関、民間のオフィスでもノー上着、ノーネクタイのクールビズが励行されている。当初は、男性の服装として、上着、ネクタイ着用が一般に定着していたので、なかなかクールビズが浸透しなかったが、最近では、クールビズがビジネスの場においても多くみられるようになった。しかし、特にノーネクタイは仕事上の緊張感を阻害し、見た目にもだらしなく見えてしまうという問題があった。そこで、クールビズに対応したネクタイとして、首に巻き付けるのではなく、シャツのボタンに装着する簡易なネクタイが提案されている（例えば、特許文献１参照。）。このネクタイによれば、首を締め付けることがないので、暑苦しさを軽減することができる。
【特許文献１】実用新案登録第３１２１２２２号公報
【考案の開示】
【考案が解決しようとする課題】
【０００３】
しかしながら、特許文献１に記載のネクタイは、従来のネクタイの概念を用いたものであるので、シャツのボタンをはずすことができず、十分に暑さを軽減することができないという問題があった。また、夏場に限らず、シャツのボタンをはずして楽にシャツを着たい場合もあり、そのような場合にも対応することができないという問題があった。よって、シャツのボタンをはずしても美しく、だらしなく見えず、ファッション性に富んだ新たなスタイルが求められていた。
【０００４】
本考案は、このような問題に基づきなされたものであり、涼しくまたは楽に着用することができ、かつ、見た目も美しくファッション性に富んだ装身具を提供することを目的とする。
【課題を解決するための手段】
【０００５】
本考案の装身具は、襟付きシャツの上から胸元を飾るものであって、シャツの右襟から胸に向かって伸長される右帯部と、シャツの左襟から胸に向かって伸長される左帯部とを有し、右帯部と左帯部とは胸元において１回交差され、右帯部の先端部は左胸側、左帯部の先端部は右胸側に位置しているものである。
【考案の効果】
【０００６】
本考案の装身具によれば、右帯部と左帯部とを胸元において交差させるようにしたので、シャツのボタンをはずしても、胸元を美しく飾ることができる。よって、涼しくまたは楽に着用することができ、かつ、見た目もだらしなく見えずに美しく、ファッション性を高めることができる。
【０００７】
特に、右帯部と左帯部との交差部の中心位置と、シャツの襟腰縫い目との間の距離を６ｃｍ以上１４ｃｍ以下の範囲内とし、交差部の中心位置と、右帯部の先端または左帯部の先端との間の距離を２．５ｃｍ以上７ｃｍ以下の範囲内とし、右帯部の右襟から交差部までの間における帯幅および左帯部の左襟から交差部までの間における帯幅を０．５ｃｍ以上３．５ｃｍ以下の範囲内とするようにすれば、見た目をより美しくすることができる。
【０００８】
また、右帯部と左帯部との交差部に、それらを留める留め部材を設けるようにすれば、容易に着脱することができると共に、美しい形を容易に形成することができる。
【０００９】
更に、右帯部の右襟から交差部までの間および左帯部の左襟から交差部までの間を、シャツの前身頃の中心に向かって中心側が凹となるように湾曲させるようにすれば、見た目をより美しくすることができる。
【考案を実施するための最良の形態】
【００１０】
以下、本考案の実施の形態について、図面を参照して詳細に説明する。
【００１１】
図１は、本考案の一実施の形態に係る装身具１０の構成を表すものであり、図２は、この装身具１０を着用した状態を表すものである。この装身具１０は、ワイシャツなどの襟付きシャツ２０の上から胸元を飾るクールタイであり、例えば、布により帯状に形成されている。装身具１０は、例えば、シャツ２０の右襟２１から胸に向かって伸長される右帯部１１と、シャツ２０の左襟２２から胸に向かって伸長される左帯部１２と、これらの間に連続して設けられた首周り部１３とを有している。首周り部１３は首に掛けて着用するためのものであり、右帯部１１と左帯部１２とは胸元において１回交差し、右帯部１１の先端部が左胸側、左帯部１２の先端部が右胸側に位置している。このように構成することにより、シャツ２０のボタンをはずしても、胸元を美しく飾ることができるようになっている。
【００１２】
右帯部１１と左帯部１２とを交差させた交差部１４の中心位置Ｘと、シャツ２０の襟腰縫い目２３との間の距離Ｌ１は、例えば、６ｃｍ以上１４ｃｍ以下の範囲内であることが好ましく、８ｃｍ以上１２ｃｍ以下、更には９ｃｍ以上１１ｃｍ以下の範囲内であればより好ましい。見た目をより美しくすることができるからである。
【００１３】
交差部１４の中心位置Ｘと、右帯部１１の先端または左帯部１２の先端との間の距離Ｌ２は、例えば、２．５ｃｍ以上７ｃｍ以下の範囲内であることが好ましく、３ｃｍ以上６ｃｍ以下、更には３．５ｃｍ以上５ｃｍ以下の範囲内であればより好ましい。見た目をより美しくすることができるからである。
【００１４】
右帯部１１の右襟２１から交差部１４までの間における帯幅Ｗ１および左帯部１２の左襟２２から交差部１４までの間における帯幅Ｗ２は、例えば、０．５ｃｍ以上３．５ｃｍ以下の範囲内であることが好ましく、１ｃｍ以上３ｃｍ以下、更には１．５ｃｍ以上２．５ｃｍ以下、更には１．７ｃｍ以上２．１ｃｍ以下の範囲内であればより好ましい。見た目をより美しくすることができるからである。
【００１５】
右帯部１１および左帯部１２は、全体にわたって同一の帯幅であってもよいが、変化させるようにしてもよい。例えば、図３の（Ａ）に示したように、先端に向かって帯幅が広くなるようにしてもよく、図３の（Ｂ）に示したように、先端に向かって帯幅が狭くなるようにしてもよく、図３の（Ｃ）に示したように、側辺を波形などにして帯幅が広くなったり狭くなったりするようにしてもよい。
【００１６】
右帯部１１および左帯部１２の側辺は直線状であってもよいが、例えば図１および図２に示したように、右帯部１１の右襟２１から交差部１４までの間および左帯部１２の左襟２２から交差部１４までの間が、シャツ２０の前身頃の中心に向かって中心側が凹となるように湾曲していることが好ましい。見た目をより美しくすることができるからである。この場合、右帯部１１および左帯部１２をバイアスに裁った布地により構成し、前身頃の中心側を縫い目とし、反対側を袋状とするようにすれば、中心側が凹となるように自然に湾曲させることができるので好ましい。また、例えば図３の（Ｄ）に示したように、右帯部１１および左帯部１２の側辺を波形などに装飾するようにしてもよい。
【００１７】
右帯部１１および左帯部１２の先端部は、例えば図１および図２に示したように、前身頃の中心側が鋭角、反対側が鈍角となるように直線的に切断した形状としてもよいが、他の形状としてもよい。例えば、図４の（Ａ）に示したように、前身頃の中心側が鈍角、反対側が鋭角となるように直線的に切断した形状としてもよく、図４の（Ｂ）に示したように、前身頃の中心側および反対側が共にほぼ直角となるように直線的に切断した形状としてもよい。また、図４の（Ｃ）に示したように、右帯部１１および左帯部１２の中心部を直線的に突出させるようにしてもよく、図４の（Ｄ）に示したように、右帯部１１および左帯部１２の中心部を曲線的に突出させるようにしてもよい。なお、図１および図２、または図３（Ａ）に示したように、先端部の形状を、一方側が鋭角、他方側が鈍角となるように直線的に切断する場合には、鋭角の角度を３０度から６０度の範囲内とすることが好ましく、４０度から５０度の範囲内とすればより好ましい。見た目をより美しくすることができるからである。
【００１８】
交差部１４は、右帯部１１を上にしても、左帯部１２を上にしてもよい。また、交差部１４は、縫い付けられていてもよいが、縫い付けずに遊離可能とされていることが好ましい。着脱を容易とすることができるからである。その場合、交差部１４には何も設けずに、着用者が着用時に右帯部１１と左帯部１２とを交差させて、タイタックなどのネクタイピンで交差部１４を留めるようにしてもよいが、交差部１４にスナップなどの留め部材を設けて固定できるようにされていることが好ましい。着用時に交差部１４の位置または右帯部１１と左帯部１２の長さをその都度調節しなくても、美しい形を容易に形成することができるからである。その場合、留め部材は、交差部１４の中心位置Ｘよりも下部に設けることが好ましい。タイタックなどのネクタイピンを着けてファッションを楽しむ場合には、ネクタイピンを交差部１４の中心位置Ｘ付近またはそれよりも上部に着けた方が美しく見えるので、ネクタイピンを着ける際に邪魔にならないようにするためである。留め部材としては、スナップのほかにも、ボタン、鉤ホックまたは面状ファスナーなどが挙げられる。
【００１９】
右帯部１１の先端から左帯部１２の先端までの長さは、例えば、６０ｃｍから９０ｃｍ程度であり、デザインに応じて、体格別に２種類から３種類のサイズを用意するようにすれば好ましい。また、装身具１０を構成する布にはある程度の厚みを有するものを用いた方が美しい形を保つことができるので好ましい。薄い布を用いる場合には、袋状とした中に芯を入れるようにすることが好ましい。更に、通常のネクタイと同様に、色および柄に制限はなく、好みに応じて自由に選択することができる。
【００２０】
この装身具１０では、例えば、シャツ２０の上から首周り部１３を首に掛けて襟の下に入れ、右襟２１から右帯部１１を引き出して胸元に伸ばすと共に、左襟２２から左帯部１２を引き出して胸元に伸ばし、右帯部１１と左帯部１２とを胸元において交差させて、留め部材またはネクタイピンなどにより交差部１４を留めて着用する。
【００２１】
このように、本実施の形態によれば、右帯部１１と左帯部１２とを胸元において１回交差させ、右帯部１１の先端部が左胸側、左帯部１２の先端部が右胸側に位置するようにしたので、シャツ２０のボタンをはずしても、胸元を美しく飾ることができる。よって、涼しくまたは楽に着用することができ、かつ、見た目もだらしなく見えずに美しく、ファッション性を高めることができる。
【００２２】
特に、交差部１４の中心位置Ｘとシャツ２０の襟腰縫い目２３との間の距離Ｌ１を６ｃｍ以上１４ｃｍ以下の範囲内とするようにすれば、または、交差部１４の中心位置Ｘと右帯部１１の先端または左帯部１２の先端との間の距離Ｌ２を２．５ｃｍ以上７ｃｍ以下の範囲内とするようにすれば、または、右帯部１１の右襟２１から交差部１４までの間における帯幅Ｗ１および左帯部１２の左襟２２から交差部１４までの間における帯幅Ｗ２を０．５ｃｍ以上３．５ｃｍ以下の範囲内とするようにすれば、見た目をより美しくすることができる。
【００２３】
また、交差部１４に留め部材を設けるようにすれば、容易に着脱することができると共に、美しい形を容易に形成することができる。
【００２４】
更に、右帯部１１の右襟２１から交差部１４までの間および左帯部１２の左襟２２から交差部１４までの間を、シャツ２０の前身頃の中心に向かって中心側が凹となるように湾曲させるようにすれば、見た目をより美しくすることができる。
【００２５】
以上、実施の形態を挙げて本考案を説明したが、本考案は上記実施の形態に限定されるものではなく、種々変形可能である。例えば、上記実施の形態では、右帯部１１、左帯部１２および首周り部１３の全体を布により構成する場合について説明したが、首周り部１３の少なくとも一部をゴムなどの伸縮性を有する部材により構成し、右帯部１１と左帯部１２とを交差部１４において縫い付けるようにしてもよい。このように構成すれば、交差部１４を縫い付けても着脱を容易にすることができるので好ましい。
【００２６】
また、上記実施の形態では、右帯部１１、左帯部１２および首周り部１３を連続して構成する場合について説明したが、首周り部１３において右帯部１１の側と左帯部１２の側とに分離し、首周り部１３に面状ファスナーやホックなどの結合部材を設けて結合可能とするようにしてもよい。このように構成すれば、着用者の体格または好みに合わせて長さを調節することができるので好ましい。この場合、例えば図５に示したように、首周り部１３にループ３１を設け、首周り部１３の分離端部を差し込むことができるようにすることが好ましい。面状ファスナー３２を深く重ねると面状ファスナー３２と布地３３との対向部分３４が多くなり、面状ファスナー３２が捲れたりずれたりすることがあるからである。
【００２７】
更に、首周り部１３において分離し、首周り部１３に面状ファスナーやホックなどの結合部材を設けて結合可能とすると共に、首周り部１３の少なくとも一部をゴムなどの伸縮性を有する部材により構成し、右帯部１１と左帯部１２とを交差部１４において縫い付けるようにしてもよい。
【００２８】
なお、長さの調整という観点からは、例えば図５に示したように、首周り部１３において分離し、結合部材により結合可能とすることが好ましいが、上記実施の形態で説明した装身具１０においても、複数のサイズを用意し、着用者の体格または好みに合わせて選択できるようにすれば、十分に対応することができる。また、上記実施の形態で説明した装身具１０のように、右帯部１１、左帯部１２および首周り部１３を連続して構成するようにした方が、着用時にごろつくなどの違和感がなく、使い心地が良いので好ましい。
【００２９】
加えて、上記実施の形態では、首周り部１３を設け、首周り部１３を首に掛けて用いる場合について説明したが、首周り部１３を設けずに、右帯部１１および左帯部１２をシャツ２０に取り付けて用いるようにしてもよい。
【図面の簡単な説明】
【００３０】
【図１】本考案の一実施の形態に係る装身具を表す構成図である。
【図２】図１に示した装身具を着用した状態を表す図である。
【図３】本考案の変形例を表す構成図である。
【図４】本考案の他の変形例を表す構成図である。
【図５】本考案の更に他の変形例を表す構成図である。
【符号の説明】
【００３１】
１０…装身具、１１…右帯部、１２…左帯部、１３…首周り部、１４…交差部、２０…シャツ、２１…右襟、２２…左襟、２３…襟腰縫い目、３１…ループ、３２…面状ファスナー、３３…布地、３４…対向部分
【図１】
0003146990.tif 000003
【図２】
0003146990.tif 000004
【図３】
0003146990.tif 000005
【図４】
0003146990.tif 000006
【図５】
0003146990.tif 000007